(57)【要約】【課題】  複数種類の肥料をホッパ内で短時間に効率よく混合可能で、拡散散布と筋状散布が可能な肥料散布機を提供する。【解決手段】  Ｕ字状の樋に撹拌羽根を有した回転軸を内設して原料を一方向へ撹拌しながら移送する撹拌部を構成し、この撹拌部の移送方向が互いに逆方向になるように一組を隣接して設け、これらの移送方向の末端に隣接する樋に肥料が移動可能な掻き上げ材を設けて原料が連続循環するように肥料ホッパを構成し、片側一方の底面に、複数個の排出口を設けて落下させ散布するように構成した第１散布部と、他方片側のホッパ底部の中間部に排出口を設け、排出口下方に、落下した肥料を拡散散布する回転散布板を設けた第２散布部とを設け、第１散布部か第２散布部のいずれかからの散布を選択できる肥料散布機。【選択図】      図１
2005218350.tif 000002
【特許請求の範囲】
【請求項１】
Ｕ字状の樋に撹拌羽根を有した回転軸を内設して肥料を一方向へ撹拌しながら移送する撹拌部を構成し、この撹拌部の移送方向が互いに逆方向になるように一組を隣接して設け、これらの移送方向の末端に隣接する樋に肥料が移動可能な掻き上げ材を設けて肥料が連続循環するように構成するとともに、一組に隣接したＵ字状の樋の片側一方の底面には、撹拌部の移送方向の略樋幅に連設して複数個の排出口を設け、その排出口より肥料を落下させて散布可能とした第１散布部と、他方片側の底面には、長手方向中間部に排出口を設け、この排出口下方には、水平面に散布羽根を設けた円板を水平回転自在にした回転散布板を装設し、前記排出口より落下した肥料を遠心力で拡散散布可能とした第２散布部を設け、肥料散布時は第１散布部又は第２散布部からの散布を選択できることを特徴とした肥料散布機。
【請求項２】
撹拌羽根の移送方向の開始端部側には、リボン状螺旋に成形された補助撹拌羽根を撹拌羽根開始端と開始端の取付位相をずらして２条に設けた請求項１記載の肥料散布機。
【請求項３】
Ｕ字状の樋の底面に排出口を複数個設けた排出口には、肥料の落下量を調節するシャッタ板が密着されて設けてあり、シャッタ部の排出口ごとに設けられた落下口には可撓性の案内筒が設けられ、この案内筒の出口側である他方端の先端部は、Ｕ字状の樋の長手方向に亘って設けられた横支持材の希望位置に、それぞれ単独に又は複数本の案内筒を抱持可能に構成した請求項１〜２のいずれか一つに記載の肥料散布機。
【発明の詳細な説明】
【技術分野】
【０００１】
本発明は肥料散布機に関するもので、複数種類の肥料をホッパ内で混合して散布できる構成に関わるものである。
【背景技術】
【０００２】
背景技術として、同一出願人による「Ｕ字状の樋に撹拌羽根を有した回転軸を内設して原料を一方向へ撹拌しながら移送する撹拌部を構成し、この撹拌部の移送方向が互いに逆方向になるように一組を隣接して設け、これらの移送方向の末端に、隣接する樋に原料が移動可能な掻き上げ材を設けて原料が連続循環するように構成するとともに、移送方向の末端側底面に排出口を設け、排出口は樋長さに対して移送方向の末端側に２分の１の長さに亘って複数個設けた肥料散布機」が公知である。（特許文献１）
【特許文献１】特開２００３−２３５３１８公報
【発明の開示】
【発明が解決しようとする課題】
【０００３】
公知の技術によれば、一組の隣接するＵ字状の樋に肥料を水平方向に連続循環させて混合し、それぞれの樋の底面に排出口を設けて、この排出口から肥料を落下させ散布するため、散布幅が最大で略樋幅での散布となり、広範囲に全面散布する場合は不利となる。このため、短時間に肥料を効率よく混合できる肥料散布機であって、筋状または条状にも散布可能で、さらに広範囲に全面散布する場合に有利な拡散散布も可能な肥料散布機を提供する。
【課題を解決するための手段】
【０００４】
上記課題を解決するために、Ｕ字状の樋に撹拌羽根を有した回転軸を内設して肥料を一方向へ撹拌しながら移送する撹拌部を構成し、この撹拌部の移送方向が互いに逆方向になるように一組を隣接して設け、これらの移送方向の末端に隣接する樋に肥料が移動可能な掻き上げ材を設けて肥料が連続循環するように構成するとともに、一組に隣接したＵ字状の樋の片側一方の底面には、撹拌部の移送方向の略樋幅に連設して複数個の排出口を設け、その排出口より肥料を落下させて散布可能とした第１散布部と、他方片側の底面には、長手方向中間部に排出口を設け、この排出口下方には、水平面に散布羽根を設けた円板を水平回転自在にした回転散布板を装設し、前記排出口より落下した肥料を遠心力で拡散散布可能とした第２散布部を設け、肥料散布時は第１散布部又は第２散布部からの散布を選択できることを特徴とした肥料散布機を提供するものである。
【０００５】
上記課題を解決するために、本発明のうちの請求項２に記載の発明では、上記肥料散布機において、肥料の連続循環する効率をさらに上げるため、撹拌羽根の移送方向の開始端部側には、リボン状螺旋に成形された補助撹拌羽根を、撹拌羽根開始端と開始端の取付位相をずらして２条に設けた肥料散布機を提供する。
【０００６】
上記課題を解決するために、本発明のうちの請求項３に記載の発明では、上記肥料散布機において、肥料の筋状または条状散布をより効率よくまた多岐に亘る散布パターンができるように、Ｕ字状の樋の底面に排出口を複数個設けた排出口には、肥料の落下量を調節するシャッタ板が密着されて設けてあり、シャッタ部の排出口ごとに設けられた落下口には可撓性の案内筒が設けられ、この案内筒の出口側である他方端の先端部は、Ｕ字状の樋の長手方向に亘って設けられた横支持材の希望位置に、それぞれ単独に又は複数本の案内筒を抱持可能に構成した肥料散布機を提供する。
【発明の効果】
【０００７】
上記のようにＵ字状の樋に一方向へ撹拌しながら移送する撹拌部を構成し、相互に移送方向を逆方向に組み合せてそれぞれの移送方向の末端に、隣接する樋に肥料が移動可能な掻き上げ材を設け連続循環して撹拌するので、高速撹拌を可能にし、又、散布にあたって撹拌部のＵ字状樋の底面から直接排出散布するので、混合肥料の圧縮作用やブリッジが少なく円滑な混合と散布作業ができる。また、一組に隣接したＵ字状の樋の片側一方で筋状または条状散布が可能で、他方側では落下させた肥料を回転散布板で樋幅より広範囲に拡散散布ができるため、それぞれの作物や栽培工程に合った散布方法が選択できる。
【０００８】
本発明のうち請求項２に記載の発明は、撹拌羽根の移送方向の末端に設けた掻き上げ材によって隣接する樋に肥料が移動しやくするように、受け入れ側の撹拌羽根の移送方向の開始端部側にリボン状螺旋に成形した撹拌羽根を、開始端の取付位相をずらして２条に設けて、受け入れ側の開始端側の搬送効率を上げることで肥料の滑らかな流れが形成され、肥料の連続循環の効率をよくできる。
【０００９】
また、本発明のうち請求項３に記載の発明は、排出口の肥料落下量を調節するシャッタ部に設けられた落下口には、可撓性の案内筒が設けられ、案内筒の先端部はＵ字状の樋の長手方向の希望位置に、それぞれ単独に又は複数本の案内筒を抱持可能に構成されているため、例えば作物の植付畝部に案内筒先端部を合せて取り付けると、植付畝部のみに散布することが可能で、必要な部分のみに肥料を筋状または条状に散布ができるため、肥料の無駄な散布が行われない。
【発明を実施するための最良の形態】
【００１０】
以下、本発明の実施形態を図面に基づいて説明する。図１は本発明を実施した側面図、図２は本発明を実施した平面図、図３は一部を省略した左側面図、図４はシャッタの開閉作動説明図、図５は案内筒の取付使用方法説明図、図６は本発明の別実施形態の側面図である。
【００１１】
図１と図２において１はパイプフレームを示し、このパイプフレーム１には４のトップブラケット、及び一対のロアピン５が取り付けられ、これにより図示していないがトラクタの三点リンクに装着することができる。又、後述してあるように自走式の台車に装着しても良い。
【００１２】
１８はホッパで複数の肥料を投入するものである。ホッパ１８はＵ字状の樋１７に撹拌羽根１４を有した第1回転軸９を内設し、一方向へ回転移送するものであり、移送末端側に掻き上げ材１０を設けて、第１撹拌部を構成する。本実施例において、撹拌羽根はリボン状螺旋に形成されている。
【００１３】
１２は撹拌羽根１４１を有した第２回転軸１３からなる第２撹拌部を示し、前記した第１撹拌部１１の移送方向とは逆に向けて移送回転させ、末端に掻き上げ材１０１を設けて構成する。これにより、矢印Ａ方向に肥料が連続循環して撹拌する。
【００１４】
撹拌羽根１４，１４１の移送方向の始端部側は、リボン状螺旋に成形された補助撹拌羽根１６，１６１を、撹拌羽根と開始端の取付位相をずらして撹拌羽根を２条に設けて搬送開始時の搬送効率を上げるように構成してある。
【００１５】
１５は第１撹拌部１１の排出口を示し、第１撹拌部１１の樋１７の底面に複数個配列されてあり、樋の底面の外側には、肥料の落下量を調整するシャッタが密着されて設けてある。1５１は、第２撹拌部１２の排出口を示し、第２撹拌部１２の樋１７１の底面の長手方向中間部に設けられて、樋の底面の外側には肥料の落下量を調整するシャッタが密着されて設けてあり、さらに排出口下方には、落下した肥料を遠心力で拡散散布する回転散布板４０を設けてある。
【００１６】
２はギヤケースで前方に入力軸３を有し、上下のパイプフレーム１に支持されている。ギヤケース２には、ベベルギヤ２ａが設けられ、入力軸３と直角方向に出力軸が左右に延出されている。延出された一方の第１出力軸２ｂの他方端には駆動スプロケット６が設けられている。駆動スプロケット６から中間スプロケット６ａを経由し減速され、第１スプロケット７及び第２スプロケット８を駆動し、第１回転軸９と第２回転軸１３を回転させ、図１に示すａ，ｂの矢印の回転方向に相互に隣接する内方に掬い上げるように回転する。６ｂはテンションスプロケットでローラーチェーン６ｃの張り調節を行う。
【００１７】
前記延出された他方の第２出力軸４２ａの他方端には、出力プーリ４２ｂが設けられ、この出力プーリと駆動プーリ４２ｄがＶベルト４２ｃで連結されて駆動され、駆動プーリ４２ｄは回転散布板４０を回転駆動させるカウンタシャフト４２ｅを駆動する。
【００１８】
第１シャッタ開閉レバー２３ｃと第２シャッタ開閉レバー２３ｄは、肥料の落下量を調節するシャッタを開閉するためのもので、レバーガイド２３ｂに表示された希望する散布量目盛２３ａに合わせて引くと排出口１５，１５１のシャッタがそれぞれ希望量開く。
【００１９】
第１シャッタ開閉レバー２３ｃを引くと、第１撹拌部１１のシャッタが開かれ、第２シャッタ開閉レバー２３ｄを引くと、第２撹拌部１２のシャッタが開かれる。ホッパ内の肥料は一組に隣接したＵ字状の樋を連続循環させているため、第１シャッタ開閉レバー２３ｃが第２シャッタ開閉レバー２３ｄを選択することで、筋状または条状散布か拡散散布かを選択できる。
【００２０】
図３と図４において、１４，１４１の撹拌羽根は互いに内方の矢印の方向へ回転し、１４，１４１の撹拌羽根はリボン状螺旋に形成され、肥料は互いに逆方向に移送されるように形成されている。
【００２１】
また、移送方向の末端には、隣接する樋に肥料が掻き送られるように掻き上げ材１０，１０１を設けて、肥料が連続循環するように構成されている。
【００２２】
ホッパ１８の底面のＵ字状の樋の一方片側に設けられた肥料の排出口１５にはシャッタ１９が設けられ、第１シャッタ開閉レバー２３ｃを引くと、第１連結ロット２５と連結された第１リンクアーム２７は支軸２６を支点に回動し、第１リンクアームと第１リンクピン１９ａで係合された第１シャッタ１９ｂを矢印方向にスライドさせ、略五角形の排出口１５と落下口２８の重合した孔より肥料を落下させ散布する。
【００２３】
ホッパ１８の底面のＵ字状の樋の一方片側に設けられた肥料の排出口１５１にはシャッタ１９ｃが設けられ、第２シャッタ開閉レバー２３ｄを引くと、第２連結ロット２５ａと連結された第２リンクアーム２７ａは支軸２６ａを支点に回動し、第２リンクアームと第２リンクピン１９ｄで係合された第２シャッタ１９ｃを矢印方向にスライドさせ、略五角形の排出口１５１と落下口２８の重合した孔より肥料を落下させ、下方に設けた回転散布板４０を回転させ遠心力で拡散散布する。回転散布板に設けられた散布羽根４０ａでより遠方へ拡散散布され、取付角度や大きさを変えると散布距離や散布方向を変化させることができる。また、回転散布板は複数設けてもよい。
【００２４】
第１シャッタ１９ｂと第２シャッタ１９ｃは、サポートプレート３０によりＵ字条の樋の底面に密着させてＵ字状の樋の長手方向に摺動自在に設けられていて、第１シャッタ１９ｂの落下口２８には可撓性の案内筒２２が設けられている。
【００２５】
スタンド２０は、ホッパ１８に肥料を投入する時にホッパ底面部を地面の接触等から保護し、必要によりキャスター車輪２１を付けると、格納や移動時に便利である。
【００２６】
図５は、案内筒２２の使用例を示したもので、可撓性の案内筒２２の先端部は、ホッパ１８の下部に掛け渡した横支持材２９の切欠溝に取り付けられた固定リング２９ａに、案内筒を挿入し希望位置で固定することが可能で、Ａ，Ｂ部のように複数本をまとめたり、Ｃ部のように単体で散布することも選択でき、Ｄ部のように延長横支持材２９ｂを利用して、ホッパ１８の幅よりも外側に散布することも可能であり、栽培畝の中心部や希望する畝筋条に合致するように案内筒２２の先端位置を固定して散布することができる。
【００２７】
図６は本発明を実施した別実施形態の一例を示したもので、本発明の肥料散布部を自走できる台車に載設したものである。自走台車７０に前記した肥料散布機構で構成された肥料散布装置６０を載設したもので、台車フレーム５５に動力源としてエンジン５０が取りつけてあり、エンジンのエンジンプーリ５０ａから走行テンションクラッチ７０ａを介して変速機入力プーリ５１ｂにＶベルトで伝達された動力は、変速機５１で変速されクローラ５２を駆動し走行する。また、タイヤで駆動輪を構成して走行してもよい。
【００２８】
ハンドル５３部に設けられた操作パネル５４には、走行クラッチレバー，操向レバー，スロットルレバーやメインスイッチが配設されて台車の走行をコントロールできる。また、ハンドル下方の変速レバー５１ａで走行速度を選択できる。
【００２９】
一方エンジンプーリ５０ａから散布テンションクラッチ７０ｂを介して、Ｖベルトで動力を伝達されて肥料散布装置６０は駆動される。操作パネル５４には、肥料散布装置を駆動するクラッチレバーが設けられて、このクラッチレバーにより動力の伝達，遮断が行われ、第１シャッタ開閉レバー２３ｃか第２シャッタ開閉レバー２３ｄを選択し操作することで、第１散布部３５による筋状または条状散布か、第２散布部３６による拡散散布作業が行われる。
【００３０】
前記のように自走台車に載設することで、全体をコンパクトに構成することができ、温室パイプ栽培等の狭い場所での肥料散布を有利にする。
【図面の簡単な説明】
【００３１】
【図１】本発明を実施した側面図
【図２】本発明を実施した平面図
【図３】一部を省略した左側面図
【図４】シャッタの開閉作動説明図
【図５】案内筒の取付使用方法説明図
【図６】本発明の別実施形態の側面図
【符号の説明】
【００３２】
１      パイプフレーム
２      ギヤケース
２ａ    ベベルギヤ
２ｂ    第１出力軸
３      入力軸
４      トップブラケット
５      ロアピン
６      駆動スプロケット
６ａ    中間スプロケット
６ｂ    テンションスプロケット
６ｃ    ローラーチェーン
７      第１スプロケット
８      第２スプロケット
９      第１回転軸
１０，１０１    掻き上げ材
１１    第１撹拌部
１２    第２撹拌部
１３    第２回転軸
１４，１４１    撹拌羽根
１５    第１排出口
１５１  第２排出口
１６，１６１    補助撹拌羽根
１７，１７１    樋
１８    ホッパ
１９ａ  第１リンクピン
１９ｂ  第１シャッタ
１９ｃ  第２シャッタ
１９ｄ  第２リンクピン
２０    スタンド
２１    キャスター車輪
２２    案内筒
２３ａ  散布量目盛
２３ｂ  レバーガイド
２３ｃ  第１シャッタ開閉レバー
２３ｄ  第２シャッタ開閉レバー
２５    第１連結ロット
２５ａ  第２連結ロット
２６    第１支軸
２６ａ  第２支軸
２７    第１リンクアーム
２７ａ  第２リンクアーム
２８    落下口
２９    横支持材
２９ａ  固定リング
２９ｂ  延長横支持材
３０    サポートプレート
３５    第１散布部
３６    第２散布部
４０    回転散布板
４０ａ  散布羽根
４１    第２ギヤケース
４２ａ  第２出力軸
４２ｂ  出力プーリ
４２ｃ  Ｖベルト
４２ｄ  駆動プーリ
４２ｅ  カウンタシャフト
５０    エンジン
５０ａ  エンジンプーリ
５１    変速機
５１ａ  変速レバー
５１ｂ  変速機入力プーリ
５２    クローラ
５３    ハンドル
５４    操作パネル
５５    台車フレーム
６０    肥料散布装置
７０    自走台車
７０ａ  走行テンションクラッチ
７０ｂ  散布テンションクラッチ
【図１】
2005218350.tif 000003
【図２】
2005218350.tif 000004
【図３】
2005218350.tif 000005
【図４】
2005218350.tif 000006
【図５】
2005218350.tif 000007
【図６】
2005218350.tif 000008